(57)【要約】【課題】ゴルフ場のバンカー、公園の砂場、海岸の砂浜等において小石、木片、空きビン、ガラス片等のゴミを回収するために砂を清掃する道具を提供する。【解決手段】両側を開口した金属製の円筒体であって正面には円筒体の長さ方向にそって砂やゴミ等の採り入れ口５を開口して形成するとともに採り入れ口５の反対側に形成した開口部６は篩網７を張設して覆うようにした分離具２を基体とし、採り入れ口５の下方には分離具２の長さ方向にそって下向き傾斜状にレーキ３を取り付けるとともに分離具２の上部中央には柄４を設けてある。分離具２の両側開口部１０は、半円状の蓋体１３で閉じることができ、あるいは、両側開口部１０全面は開閉可能な蓋体１３で閉じることができる。レーキ３は横長な板体か、横長な板体に櫛型状に多数の掻き上げ片１１を形成するか、多数の線上の溝１２を形成したものである。【選択図】　図１
2004124520.tif 000002
【特許請求の範囲】
【請求項１】
両側を開口した金属製円筒体であって正面には円筒体の長さ方向にそって砂やゴミ等の採り入れ口５を開口して形成するとともに採り入れ口５の反対側に形成した開口部６は篩網７を張設して覆うようにした分離具２を基体とし、採り入れ口５の下方には分離具２の長さ方向にそって下向き傾斜状にレーキ３を取り付けるとともに分離具２の上部中央には柄４を設けたことを特徴とする砂の清掃具
【請求項２】
分離具２の両側開口部１０は、半円状の蓋体１３で閉じることができるようにした請求項１に記載する砂の清掃具。
【請求項３】
分離具２の両側開口部１０は、開口面全面を開閉可能な蓋体１３で閉じることができるようにした請求項１に記載する砂の清掃具。
【請求項４】
レーキ３は、横長な板体である請求項１に記載する砂の清掃具。
【請求項５】
レーキ３は、横長な板体の長さ方向にそって櫛型状に多数の掻上げ片１１を形成したものである請求項１に記載する砂の清掃具。
【請求項６】
レーキ３は、横長な板体の長さ方向にそって多数の線状の溝１２を平行状に形成したものである請求項１に記載する砂の清掃具。
【発明の詳細な説明】
【０００１】
【発明の属する技術分野】
本発明は、ゴルフ場のバンカー、公園の砂場、海岸の砂浜等における砂を清掃するための道具に関するものである。
【０００２】
【従来の技術】
ゴルフ場ではコース途中にバンカーが設けられているが、バンカー内には小石や木の葉、木片等のゴミが混ざり合っていることがある。また、公園の砂場には猫や犬の糞、小石、回りの樹木から落ちた小さな木の枝等が混ざっていることがある。更には、海水浴客や釣り人、行楽客が集まる海岸では飲物の空き缶や空きビン等が捨てられ、ゴミと化している。このように砂には色々な物が混ざり合っているものである。
【０００３】
【発明が解決しようとする課題】
バンカー内に小石や木片等があると、ボールを打つ時、クラブヘッドが小石や木片等に当たって振り抜くことができず、トップしたりとんでもない方向にボールが飛んでいくことがある。また、公園の砂場で子供が遊んでいる時、手に糞が付いたり、木片で怪我をすることがあり、非衛生的で危険であった。
また、海岸の砂浜では缶のプルトップやガラス瓶、プラスチック瓶等の破片等が散乱していることがあり、水泳客やサーファーが怪我をすることがある。
【０００４】
そこで本願出願人は特願平１１−３３０７５８号（特開２００１−１４６７２１）として砂浜の清掃装置や実願２００２−３４２０として砂の清掃具を提供している。前者は、複数本の支持棒３を円周方向に配設して連結し、全体として円筒状のドラム５を形成し、各支持棒３にはドラム５の外方向に突設する複数本のアーム６を設けたものである。
【０００５】
ドラム５を砂の上に設置して一方向に引いて回転させれば、アーム６が砂の上にあるゴミを掬い上げ、また、砂の中に埋まっているゴミを掘り出すことができる。このようなゴミはドラム５の回転に従って上方へ運ばれ、自動的に開放した蓋体８によって形成される投入口７からドラム５内に入れられ、回収して廃棄処分するようになっている。
【０００６】
しかし、この開示された技術は、小さなゴミや大きなゴミまで砂と分離して大量に回収することができるが、全体が大型で重量があるため、砂の上を引きながら回転させることは非常に困難な作業であった。また、海岸のような広い砂浜では利用価値があるが、ゴルフ場のバンカーや公園の砂場では利用できないものであり、運搬にも不便なものであった。
【０００７】
後者の出願技術は、両側面と背面とを方形状に囲んだ枠体４内に篩網６を水平状に張設した篩部２を車輪７によって移動可能とし、かつ、篩部２の前面には下向き傾斜状にレーキ３を設けたものであり、レーキ３を前面にして篩部２を移動させれば、レーキ３ですくい上げた砂は篩網６の上に載り、砂は篩網６から下に落ち、ゴミは篩網６の上に残り、砂とゴミとを分離可能となっている。
【０００８】
この清掃具は、全体として小型であるので、ゴルフ場のバンカーや公園の砂場、海岸の砂浜のゴミ清掃に適しているが、篩部２が方形体であり、篩部２を前進させた時、下面が砂と接触するので滑りにくく、かつ、レーキ３の抵抗が加わるために前進させるためには相当な力を必要としていた。
【０００９】
本発明は、上記する従来の砂の清掃装置や清掃具に関する種々の問題点に鑑み、小型、軽量であって砂との接触面積が少ないので砂上を滑りやすくし、ゴミの回収を効率よく行うことのできる砂の清掃具を提供することを目的とするものである。
【００１０】
【課題を解決するための手段】
上記する目的を達成するために本発明清掃具は、両側を開口した金属製円筒体であって正面には円筒体の長さ方向にそって砂やゴミ等の採り入れ口５を開口して形成するとともに採り入れ口５の反対側に形成した開口部６は篩網７を張設して覆うようにした分離具２を基体とし、採り入れ口５の下方には分離具２の長さ方向にそって下向き傾斜状にレーキ３を取り付けるとともに分離具２の上部中央には柄４を設けたものである。
【００１１】
分離具２の両側開口部１０は、半円状の蓋体１３で閉じることができ、また、分離具２の両側開口部１０全面を開閉可能な蓋体１３で閉じることができる。
レーキ３は、横長な板体であるか、横長な板体の長さ方向にそって櫛型状に多数の掻上げ片１１を形成したものであり、また、レーキ３は、横長な板体の長さ方向にそって多数の線状の溝１２を平行状に形成したものである。
【００１２】
【発明の実施の形態】
以下、図面に従って、本発明の実施の形態を詳細に説明する。
図１、図２および図３は、本発明清掃具の一実施形態を示すものであり、清掃具本体１は、ステンレスやアルミニューム、鉄等の金属材あるいは合成樹脂材からなる両側を開口して中空円筒体とした分離具２を基体としており、この分離具２にレーキ３と柄４とが一体に設けてある。
【００１３】
分離具２は、小石や木片、空きビン、ガラス片その他のゴミ類と砂とを内部に採り入れ、篩作用によって分離してゴミを回収するものであり、図２、図４に示すように分離具２の正面には長さ方向にそって横長な開口部を形成して砂やゴミの採り入れ口５としてある。
【００１４】
また、図３および図４に示すように、採り入れ口５とは対称位置において、少なくとも分離具２の背面から底部の円周面にかけて、分離具２の長さ方向にそって横長な開口部６が形成してあり、この開口部６全面を覆うように砂とゴミとを分離することのできる篩網７が張設して固定してある。
【００１５】
レーキ３は、分離具２の長さ方向にそって採り入れ口５の下側に下向き傾斜状に設けた横長な板体であり、砂とゴミとを掻き上げて採り入れ口５に案内し、分離具２内に採り入れるものである。また、柄４は、分離具２の正面上部の中央部に斜め上方に向けて設けてあり、分離具２を引いて前進させるものである。
【００１６】
この柄４は、例えば、分離具２に突設した筒状の固定具８を介して分離具２に固定してもよく、あるいは、運搬や保管時には分離具２から取り外すことができるように柄４と固定具８とをボルトを使用して固定するようにしてもよい。尚、レーキ３は、分離具２と同じく金属材であるが、柄４は金属材の他に木製であってもよい。
【００１７】
本発明清掃具は上記の構成であり、図５に示すように、分離具２を砂９の上に置き、柄４を持って引けば、下向き傾斜状のレーキ３は砂９の中に入り、分離具２は砂の上を滑るので、砂９および砂９の表面に落ちているゴミや砂９の中に埋まっているゴミ等はレーキ３の傾斜面にそって掬い上げられそのまま採り入れ口５を通って分離具２内に収容される。
【００１８】
分離具２を引いて前進させれば、砂９の表面は必ずしも平面ではなく凹凸状態であり、また、レーキ３は深く入ったり浅く入ったりして分離具２全体に上下動の微振動が与えられるので、砂９は篩網７の目を通して開口部６から外部に振るい落とされる。小石や木片、ガラス片等の網目より大きいゴミは分離具２内に残ることになる。
【００１９】
上記の作業を連続して行い分離具２内にある程度ゴミが溜まったら、分離具２を持ち上げて内部に残っている砂９を振るい落とし、ゴミだけは両側面の開口部１０から、例えば、ゴミ容器やゴミ袋に取り出して廃棄すればよい。尚、図面上では理解に便利なように網目は大きく表してあるが、実際には小さな網目であり、砂のような極めて小さな物だけが通り抜けることができる大きさである。
【００２０】
以上の説明において、レーキ３は、単なる板体の場合を示したが、これに限定するものではなく、図６に示すように、横長な板体の長さ方向にそって櫛型状に多数の掻上げ片１１を形成してもよい。レーキ３をこのように形状とすれば、レーキ３が砂９の中に入って前進した時、砂９は掻上げ片１１の間を通り抜け、小石や木片等のゴミは掻上げ片１１の間を通り抜けることがなく、掻上げ片１１によって掬い取られて上方に案内され、採り入れ口５から分離具２内に入ることになる。
【００２１】
あるいは、図７に示すように、横長な板体の長さ方向にそって多数の線状の溝１２を平行状に形成したレーキ３が使用可能である。レーキ３をこのような形状とすれば、砂９は各溝１２の間を通り抜け、ゴミは通り抜けることがなく、溝１２の間を通って上方に案内され、あるいは、溝１２間の平面に載って上方に案内されて分離具２内に回収されることになる。
【００２２】
図１において符号１３は、円筒体２の両側開口部１０に設けた蓋体であり、その大きさは、少なくとも開口面積の半分を閉じることができる半円体であればよく、また、開口部１０は篩網７に面する側が開いておればよい。
このように分離具２の両側開口部１０の半分を蓋体１３で閉じることにより、分離具２内に大量のゴミが入った場合、開口部１０から漏れ出ることを防ぐことができる。
【００２３】
図８は、蓋体１３の他の例を示すものである。この蓋体１３は分離具２両側の開口部１０全面を閉じることができるものであり、そのため、分離具２と蓋体１３とは回動可能に軸連結１４するとともに軸連結１４部の反対側では分離具２と蓋体１３とを固定できるようにしたものである。
【００２４】
このように分離具２の両側開口部１０全面を蓋体１３で閉じることができるようにしておけば、分離具２内に大量のゴミを回収してもゴミが自然に外部に漏れ出ることがなく、必要に応じて片側の蓋体１３を開いてゴミを取り出せばよい。尚、分離具２と蓋体１３とを固定するには、簡単には図８に示すように針金のような固定具１５を使用して両者を連結すればよく、簡単に開かなければ固定手段は任意に選択することができる。
【００２５】
【発明の効果】
以上、説明した本発明によれば、円筒状分離具２の正面下側に下向き傾斜状にレーキ３を設け、このレーキ３の上方には分離具２の長さ方向にそって開口した採り入れ口５を形成してあるので、分離具２を砂面にそって前進、移動させれば、砂９およびゴミはレーキ３が掬い上げられ、採り入れ口５から分離具２内に収容することができる。
【００２６】
そして、分離具２には、採り入れ口５とは反対側に形成した開口部６を覆うように篩網７を張設してあるので、分離具２内の砂９は篩網７を通して振るい落とされ、ゴミだけが分離具２内に残るので両側の開口部１０からゴミ箱やゴミ袋等への廃棄処分が可能となる。特に、分離具２は、円筒体であるから砂面との接触面積が少ないので、あまり力を入れずに砂面上を滑らすことができる。
【００２７】
分離具２の両側開口部１０は、半円状の閉じ板１３を使用して閉じておけば、分離具２内にゴミが溜まっても砂９の清掃作業中に外部に漏れ落ちることがない。更に、開口部１０全面を開閉可能な閉じ板１３で覆って置けばゴミが漏れ落ちることがなくなる。
【図面の簡単な説明】
【図１】本発明清掃具の側面図である。
【図２】本発明清掃具の正面図である。
【図３】本発明清掃具の背面図である。
【図４】分離具を拡大して示す断面図である。
【図５】砂およびゴミを回収している状態の側面図である。
【図６】レーキの他の例を示す正面図である。
【図７】レーキの他の例を示す正面図である。
【図８】分離具と蓋体との他の例を示す平面図である。
【符号の説明】
１　清掃具本体
２　分離具
３　レーキ
４　柄
５　採り入れ口
６　開口部
７　篩網
８　固定具
９　砂
１０　開口部
１１　掻き上げ板
１２　溝
１３　蓋体
１４　軸連結
１５固定具
【図１】
2004124520.tif 000003
【図２】
2004124520.tif 000004
【図３】
2004124520.tif 000005
【図４】
2004124520.tif 000006
【図５】
2004124520.tif 000007
【図６】
2004124520.tif 000008
【図７】
2004124520.tif 000009
【図８】
2004124520.tif 000010